(57)【要約】【課題】  現在時刻の設定を簡単に、かつ適切なタイミングで行なうことができる世界時計と、その時刻設定方法とを提供する。【解決手段】  世界時計部７９は、ＲＴＣ７６から入力された基準時間をベースに動作し、常態では基準時間を現在時刻として適用している。時差設定部８０は、基準時間に対する時差を設定し、第１〜第３時差１２０〜１２１としてバックアップメモリ１１８に記憶する。適用時刻設定部８１は、第１〜第３時差１２０〜１２１を現在時刻に適用するタイミングである第１〜第３適用時刻１２３〜１２５を設定し、バックアップメモリ１１８に記憶する。現在時刻提供部８２は、基準時間が適用時刻に達したときにその適用時刻に対応する時差を基準時間に加算して時差時間を算出し、この時差時間を現在時刻として設定する。【選択図】        図６
2006170855.tif 000002
【特許請求の範囲】
【請求項１】
基準時間と、この基準時間に時差を加算または減算して算出される時差時間とのいずれか一方が現在時刻として適用される世界時計において、
前記時差が設定されるステップと、
前記時差時間が現在時刻として適用される適用時刻が、基準時間を用いて設定されるステップと、
前記基準時間が適用時刻に達したときに時差時間を算出し、現在時刻として適用するステップとを備えたことを特徴とする世界時計の時刻設定方法。
【請求項２】
前記時差と適用時刻とを複数組設定し、基準時間が各適用時刻に達したときに、該適用時刻に対応した時差と基準時間とから時差時間を算出し、現在時刻として適用することを特徴とする請求項１記載の世界時計の時刻設定方法。
【請求項３】
前記複数組の時差と適用時刻とを設定する際に、設定中の適用時刻と、一組前に設定した適用時刻とを比較するステップと、
設定中の適用時刻が一組前に設定した適用時刻よりも早い時刻である場合に、設定を受け付けないようにするステップとを設けたことを特徴とする請求項２記載の世界時計の時刻設定方法。
【請求項４】
前記適用時刻を設定するステップの後に、現在時刻を基準時間に戻す復帰時刻が基準時間を用いて設定されるステップと、基準時間が復帰時刻に達したときに該基準時間を現在時刻として適用するステップとを設けたことを特徴とする請求項１ないし３いずれか記載の世界時計の時刻設定方法。
【請求項５】
前記復帰時刻が設定されなかった場合、最後に適用される時差の適用時刻に達したときに、該最後に適用された時差の時差時間が前記基準時間として適用されるステップを設けたことを特徴とする請求項４記載の世界時計の時刻設定方法。
【請求項６】
前記適用時刻を設定するステップの後に、時差及び適用時刻に関連する情報が入力されるステップを設けたことを特徴とする請求項１ないし５いずれか記載の世界時計の時刻設定方法。
【請求項７】
前記情報は、データファイルとして記憶され、前記情報が入力されるステップは、入力された情報からデータファイルを生成するステップと、データファイルと時差及び適用時刻との関連を表す関連データを記憶するステップとを含むことを特徴とする請求項６記載の世界時計の時刻設定方法。
【請求項８】
前記世界時計に外部機器を接続し、時差、適用時刻、復帰時刻、情報のうちの少なくとも一つを外部機器から世界時計に入力することを特徴とする請求項７記載の世界時計の時刻設定方法。
【請求項９】
基準時間を計時する計時手段と、
この基準時間に対する時差が設定される時差設定手段と、
該基準時間、または基準時間に時差を加算または減算して算出した時差時間のいずれか一方を現在時刻として適用する現在時刻適用手段とを備えた世界時計において、
前記時差時間が現在時刻として適用される適用時刻が、基準時間を用いて設定される適用時刻設定手段と、
時差と適用時刻とが関連付けて記憶される記憶手段とを備え、
前記現在時刻適用手段は、基準時間が適用時刻に達したときに時差時間を算出し、該時差時間を現在時刻として適用することを特徴とする世界時計。
【請求項１０】
複数組の時差及び適用時刻を設定する際に設定中の適用時刻と、一組前に設定した適用時刻とを比較する適用時刻比較手段と、
設定中の適用時刻が一組前に設定した適用時刻よりも早い時刻である場合、その設定を無効化する適用時刻無効化手段とを設けたことを特徴とする請求項９記載の世界時計。
【請求項１１】
前記現在時刻を時差時間から基準時間に戻す復帰時刻が、基準時間を用いて設定される復帰時刻設定手段と、
復帰時刻が記憶される復帰時刻記憶手段とを設け、
前記現在時刻適用手段は、基準時間が復帰時刻に達したときに基準時間を現在時刻として適用することを特徴とする請求項９または１０記載の世界時計。
【請求項１２】
前記復帰時刻が設定されなかった場合に、最後に適用された時差の時差時間が現在時刻として適用される際に、該最後に設定された時差時間を基準時間として適用する基準時間変更手段を設けたことを特徴とする請求項１１記載の世界時計。
【請求項１３】
前記時差及び適用時刻に関連する情報が入力される情報入力手段と、
この情報を時差及び適用時刻と関連づけて記憶する情報記憶手段とを設けたことを特徴とする請求項９ないし１２いずれか記載の世界時計。
【請求項１４】
前記時差時間の適用時に、該時差時間に関連する情報を再生表示する表示手段を設けたことを特徴とする請求項１３記載の世界時計。
【請求項１５】
外部機器と接続されるインターフェース部と、このインターフェース部を介して外部機器から入力されたデータを時差、適用時刻、復帰時刻、情報のうちの少なくとも一つとして設定する外部データ設定手段とを設けたことを特徴とする請求項１４記載の世界時計。
【発明の詳細な説明】
【技術分野】
【０００１】
本発明は、世界時計及び世界時計の時刻設定方法に関し、更に詳しくは、時刻設定を予め行ない、かつ自動的に時刻を変更することのできる世界時計及び世界時計の時刻設定方法に関する。
【背景技術】
【０００２】
ＣＣＤやＣＭＯＳタイプのイメージセンサで被写体の画像を撮像し、これによって得た撮像信号をデジタルの画像データに変換してメモリ等に記憶するデジタルカメラが普及している。デジタルカメラは、時計機能を備えており、画像データには付帯データとして撮影日時が記録される。この撮影日時は、画像データをプリントする際に読み出され、プリントの隅に印字される。
【０００３】
ところで、近年の海外旅行ブームにより、国内で購入されたデジタルカメラが海外で使用される機会が増えている。従来のデジタルカメラでは、旅行先の国の時間に合せて日時設定を変更することにより、適正な撮影日時を得るようにしていた。しかし、デジタルカメラの日時設定は、購入時に一度だけ行なわれる程度の使用頻度の少ない設定であるため、その設定操作は分かりにくく煩雑であることが多い。
【０００４】
海外旅行先での日時設定の煩雑さを解消するために、地域や地名を選択することで、その地域の時間に設定することのできる世界時計機能を備えたデジタルカメラが従来より販売されている（非特許文献１参照）。また、基準時間に対する時差を設定することにより、旅行先での日時設定を容易にしたデジタルカメラも販売されている（非特許文献２参照）。この時差を設定するデジタルカメラでは、最初に設定した日時を基準時間として、この基準時間と時差とから旅行先での時差時間を算出し、この算出した時差時間を撮影日時として記録する。
【０００５】
従来の世界時計（特許文献１参照）として、他の国の時間を算出する際に、特定地域の時間を基準とし、異なる二つの地域との時差と一方の時間とから他方の時間を算出するものがある。また、海外旅行先で現在地や時間等を短時間で取得するシステム（特許文献２参照）が発明されている。この情報提供システムでは、旅行の日程情報に基づいて旅行先の場所の経度緯度情報などの現在地を測位するのに有効なデータを日程と関連付けして格納した旅行データパッケージを作成し、これを携帯端末等に記憶して旅行に出かける。旅行先では、その日程の予定場所の経度緯度情報等が予め分かるため、短時間で現在地や現在時刻を知ることができる。
【特許文献１】特開昭５３−１１８１７１号公報
【特許文献２】特開２００１−１０９７６４号公報
【非特許文献１】”Ｏｐｔｉｏ７５０Ｚ”、［ｏｎｌｉｎｅ］、ペンタックス株式会社、［平成１６年１１月９日検索］、インターネット＜ＵＲＬ；http://www.digital.pentax.co.jp/ja/compact/optio750z/spec.html＞
【非特許文献２】”ＦｉｎｅＰｉｘ  Ｆ８１０”、［ｏｎｌｉｎｅ］、富士写真フイルム株式会社、［平成１６年１１月９日検索］、インターネット＜ＵＲＬ；http://www.finepix.com/lineup/f810/spec.html＞
【発明の開示】
【発明が解決しようとする課題】
【０００６】
非特許文献１及び非特許文献２記載のデジタルカメラは、旅行先での時間設定が容易になる。しかし、複数の国に旅行する場合には、各国で時間設定を行なわなくてはならないため設定操作が手間であり、途中の国で時間設定を忘れてしまう場合や、誤った時間設定を行なってしまう場合もある。このような場合には、記念写真などの日付がずれてしまう。
【０００７】
また、特許文献２記載のシステムをデジタルカメラに応用すれば、複数の国への旅行であっても容易に時間を設定することができる。しかし、このようなシステムを備えたデジタルカメラは高価になるという問題があった。
【０００８】
本発明は上記問題を解決するためになされたもので、複数の外国への旅行であっても、その国に応じた現在時刻の設定を簡単に、かつ適切なタイミングで行なうことができる世界時計と、その時刻設定方法とを提供する。
【課題を解決するための手段】
【０００９】
上記課題を解決するために、本発明の世界時計の時刻設定方法は、基準時間と、この基準時間に時差を加算または減算して算出された時差時間とのいずれか一方が現在時刻として適用される世界時計に用いられ、時差が設定されるステップと、時差時間が現在時刻として適用されるタイミングである適用時刻が、基準時間を用いて設定されるステップと、基準時間が適用時刻に達したときに時差時間を算出し、現在時刻として適用するステップとを備えている。これによれば、旅行の前に時差を設定することができ、旅行中の日程に合せて自動的に時差に合せた現在時刻を適用することができる。
【００１０】
また、本発明の時刻設定方法では、複数の国へ旅行に出かける場合に、時差と適用時刻とを複数組設定し、基準時間が各適用時刻に達したときに、適用時刻に対応した時差と基準時間とから時差時間を算出して現在時刻として適用している。これによれば、旅行の日程に合せて、各国の現在時刻を自動的に適用することができるので、各国に到着してから時間を設定する手間を省くことができ、時間設定を忘れたり間違えたりするのを防止することができる。
【００１１】
更に、本発明の時刻設定方法では、複数組の時差と適用時刻とを設定する際に、設定中の適用時刻と、一組前に設定した適用時刻とを比較するステップと、設定中の適用時刻が一組前に設定した適用時刻よりも早い時刻である場合に、設定を受け付けないようにするステップとがを設けられている。これによれば、時差が適用順に設定されるので、複数の時差を各適用時刻に合せて適用する際には、設定されている順番に適用することができる。そのため、時差適用時に適用時刻の比較を行なう必要がないため、制御を簡易化することができる。
【００１２】
また、本発明の時刻設定方法では、適用時刻を設定するステップの後に、現在時刻を基準時間に戻す復帰時刻を基準時間を用いて設定するステップが設けられている。これによれば、旅行を終えて帰国した際に、基準時間が現在時刻として自動的に適用されるため、時間設定の手間を省くことができる。
【００１３】
更に、本発明の時刻設定方法では、復帰時刻が設定されなかった場合には、基準時間が最後に設定された時差の適用時刻に達したときに、最後に設定された時差の時差時間を基準時間として適用するステップが設けられている。復帰時刻が設定されなかった場合には、その旅行先で長期の滞在がされるものと推定される。このような長期滞在では、基準時間をその滞在先の国に合せたほうが世界時計としての使い勝手もよくなる。
【００１４】
また、本発明の時刻設定方法では、適用時刻を設定するステップの後に、時差及び適用時刻に関連する情報を入力するステップが設けられている。情報としては、たとえば、旅行先の国名や地名の他、業務内容等の用件を入力することができる。この情報を時差の適用中に表示しておけば、世界時計を簡易な予定表として用いることも可能となる。また、情報は、データファイルとして記憶してもよく、情報を入力するステップとしては、データファイルを生成するステップと、データファイルと時差及び適用時刻との関連を表す関連データを記憶するステップとを備えるとよい。データファイルとしては、例えば、音声データや画像データ等を用いることができ、時差の適用に合せて多彩な情報を記録することができる。
【００１５】
また、本発明の時刻設定方法では、世界時計に外部機器を接続することにより、時差と、適用時刻と、復帰時刻と、情報との少なくとも一つが外部機器から世界時計に入力される。これによれば、例えば、パーソナルコンピュータや携帯端末等で作成した旅行の日程等から世界時計の時差設定を行なうことができるようになるため、時差設定をより簡便に行なうことができるようになる。また、旅行のパンフレット等に記録された日程を読み取って時差等を入力できるようにすることもできる。
【００１６】
また、本発明の世界時計は、基準時間を計時する計時手段と、この基準時間に対する時差を設定する時差設定手段と、基準時間、または基準時間に時差を加算または減算して算出した時差時間のいずれか一方を現在時刻として適用する現在時刻適用手段とを備えた世界時計であって、時差時間が現在時刻として適用されるタイミングである適用時刻を、基準時間を用いて設定する適用時刻設定手段と、時差と適用時刻とを関連付けて記憶する記憶手段と、基準時間が適用時刻に達したときに時差時間を算出し、現在時刻適用手段に時差時間を現在時刻として適用させる制御手段とから構成されている。これによれば、旅行の前に時差を設定することができ、旅行中の日程に合せて自動的に時差に合せた現在時刻が適用されるので、旅行先に到着してから時間を設定する手間を省くことができ、時間設定を忘れたり間違えたりするのを防止することができる。
【００１７】
また、本発明の世界時計は、複数組の時差及び適用時刻を設定する際に設定中の適用時刻と、一組前に設定した適用時刻とを比較する適用時刻比較手段と、設定中の適用時刻が一組前に設定した適用時刻よりも早い時刻である場合、その設定を無効化する適用時刻無効化手段とが設けられている。これによれば、時差が適用順に設定されるようにユーザーの操作を誘導することができる。また、複数の時差を各適用時刻に合せて適用する際には、設定されている順番に適用することができる。
【００１８】
また、本発明の世界時計は、現在時刻を時差時間から基準時間に戻すタイミングである復帰時刻を基準時間を用いて設定する復帰時刻設定手段と、復帰時刻を記憶する復帰時刻記憶手段とが設けられている。これによれば、旅行を終えて帰国した際に、基準時間が現在時刻として自動的に適用されるため、時間設定の手間を省くことができる。
【００１９】
また、本発明の世界時計は、復帰時刻が設定されなかった場合に、最後に設定された時差の時差時間を現在時刻として適用する際に、該最後に設定された時差時間を基準時間として適用する基準時間変更手段が設けられている。復帰時刻が設定されなかった場合には、その旅行先で長期の滞在がされるものと推定される。このような長期滞在では、基準時間をその滞在先の国に合せたほうが世界時計としての使い勝手もよくなる。
【００２０】
また、本発明の世界時計は、時差及び適用時刻に関連する情報を入力する情報入力手段と、この情報を時差及び適用時刻と関連づけて記憶する情報記憶手段とが設けられている。また、時差時間の適用時に、該時差時間に関連する情報を再生表示する表示手段が設けられている。情報としては、たとえば、旅行先の国名や地名の他、業務内容等の用件を入力することができる。この情報を時差の適用中に表示しておけば、世界時計を簡易な予定表として用いることも可能となる。
【００２１】
また、本発明の世界時計は、外部機器と接続されるインターフェース部と、このインターフェース部を介して外部機器から入力されたデータを時差と、適用時刻と、復帰時刻と、情報との少なくとも一つとして設定する外部データ設定手段とが設けられている。これによれば、例えば、パーソナルコンピュータや携帯端末等で作成した旅行の日程等から世界時計の時差設定を行なうことができるようになるため、時差設定をより簡便に行なうことができるようになる。また、旅行のパンフレット等に記録された日程を読み取って時差等を入力できるようにすることもできる。
【発明の効果】
【００２２】
本発明によれば、旅行の前にその旅行先の時差設定を行なうことができるので、時差設定という煩雑な操作を旅行中に行なう必要がなくなる。また、旅行準備として設定を行なうことができるので、時差の設定を忘れたり、設定内容を間違えることが少なくなる。更に、旅行の日程に合せて自動的に適切な時差を適用することができるので、海外旅行での使い勝手が向上する。また、帰国に合せて現在時刻に基準時間を適用することもできるので、常に適切な現在時刻を得ることができる。
【発明を実施するための最良の形態】
【００２３】
図１は、本発明の世界時計を組み込んだデジタルカメラの外観形状を示す斜視図である。デジタルカメラ２の前面には、レンズ鏡筒３が設けられている。レンズ鏡筒３は、デジタルカメラ２の電源がオフされた時にカメラ本体４内に沈胴し、電源がオンされたときにカメラ本体４内から前方へ繰り出される。レンズ鏡筒３の背後には、被写体画像を撮像するイメージセンサが配置されており、組み込まれた撮影レンズ５によってイメージセンサ上に被写体画像を結像する。レンズ鏡筒３の上部には、被写体に向けてストロボ光を照射するストロボ発光部６と、対物側光学ファインダ窓７とが設けられている。また、レンズ鏡筒３の下方には、動画撮影時等に音声の入力を行なう音声入力部８が設けられている。
【００２４】
デジタルカメラ２の上面には、シャッタボタン１１等が設けられている。また、デジタルカメラ２の一方の側面には、蓋１２によって開閉自在とされたメモリカードスロット１３が設けられている。このメモリカードスロット１３には、撮影により生成された画像データが記憶されるメモリカード１４がセットされる。シャッタボタン１１は、２段階の押圧操作が可能であり、軽く押圧されて１段目がオンすると（半押し）、撮像時の露出値、ピント位置などを確定する撮影準備処理が実行される。この撮影準備処理に次いで、シャッタボタン１１がさらに深く押し込まれて２段目がオンすると（全押し）、イメージセンサから出力された撮像信号を信号処理して得られた画像データをメモリカード１４に記録する撮影処理が実行される。
【００２５】
図２は、デジタルカメラ２の背面図である。左側上部には、接眼側光学ファインダ窓１７が設けられている。また、下部には、ＬＣＤパネル１８が設けられている。このＬＣＤパネル１８には、撮影中の被写体のスルー画像や、撮影済みの再生画像、各種設定メニューなどが表示される。このＬＣＤパネル１８の側方には、デジタルカメラ２の操作に応じて発せられる操作音や、動画データの再生時に音声データを再生する音声出力部１９が設けられている。
【００２６】
デジタルカメラ２の背面でＬＣＤパネル１８の上部には、デジタルカメラ２の操作に用いられる操作部２２が設けられている。この操作部２２は、電源ボタン２３と、モード選択レバー２４と、撮影モード選択ダイヤル２５と、メニュー／ＯＫボタン２６と、ＢＡＣＫボタン２７と、十字カーソルボタン２８と、表示ボタン２９とからなる。
【００２７】
デジタルカメラ２は、撮影を行う撮影モードと、撮影済みの画像を再生表示する再生モードと、各種設定を行うセットアップモード（設定モード）との３つの動作モードを備えている。これら動作モードの切り替えには、モード選択レバー２４と、メニュー／ＯＫボタン２６及びＢＡＣＫボタン２７とが使用される。モード選択レバー２４は、電源ボタン２３の外周で揺動操作され、撮影モードと再生モードとを切り替える。メニュー／ＯＫボタン２６は、撮影モードまたは再生モードからセットアップモードに切り替える際に使用され、ＢＡＣＫボタン２７は、セットアップモードから撮影モードまたは再生モードへと復帰させる際に使用される。なお、メニュー／ＯＫボタン２６は、セットアップモードへの切り換えとともに、設定内容の確定に使用され、ＢＡＣＫボタン２７は、設定メニューの項目内容をさかのぼる際や、設定内容をキャンセルする際にも使用される。
【００２８】
十字カーソルボタン２８は、設定メニューの項目選択や撮影時のズーム操作に使用される。表示ボタン２９は、ＬＣＤパネル１８のオン／オフの切り換えに使用される。各ボタン及びレバー内には、各ボタン及びレバーの操作によって操作信号を発生するスイッチが組み込まれている。
【００２９】
デジタルカメラ２は、次のように使用される。電源ボタン２３の操作により電源がオンされ、その際のモード選択レバー２４の位置に合せて、デジタルカメラ２は撮影モードまたは再生モードで起動する。例えば、静止画撮影を行なう場合には、撮影レンズ５を被写体に向け、光学ファインダやＬＣＤパネル１８のスルー画像によってフレーミングを行い、シャッタボタン１１を押下する。被写体画像は、内蔵するイメージセンサによって撮像され、その画像データがメモリカード１４に記憶される。メモリカード１４に記憶された画像データは、デジタルカメラ２を再生モードにセットすることにより、ＬＣＤパネル１８に再生表示させることができる。
【００３０】
また、メニュー／ＯＫボタン２６が操作されると、デジタルカメラ２がセットアップモードに切り換えられ、ＬＣＤパネル１８に設定メニューが表示される。ユーザーは、十字カーソルボタン２８を操作して設定メニューを選択し、設定を行なう。例えば、デジタルカメラ２の基準時間を設定する「日時設定」は、図３に示すフローチャートに沿って行なわれる。まず、メニュー／ＯＫボタン２６を操作してセットアップモードに移行する。ＬＣＤパネル１８には、多数のメニュー項目が表示されるので、十字カーソルボタン２８を操作してＬＣＤパネル１８上のカーソルを移動させ、「日時設定」を選択する。この状態でメニュー／ＯＫボタン２６が操作されると、「日時設定」が開始される。
【００３１】
図４に示すように、ＬＣＤパネル１８には日時設定画面が表示される。この日時設定画面は、設定内容が表示される標題部３２と、年月日の表示順序が設定される日付表示順序入力部３３と、設定された表示順序にしたがって年月日が入力される日付入力部３４と、時間と分とが入力される時分入力部３５と、メニュー／ＯＫボタン２６及びＢＡＣＫボタン２７の機能が表示される機能表示部３６とを備えている。ユーザーは、十字カーソルボタン２８の左右のボタンで設定すべき項目間を移動し、上下のボタンで設定内容を変更する。設定後にメニュー／ＯＫボタン２６が操作されると、その設定内容が確定され、ＢＡＣＫボタン２７が操作されると設定がキャンセルされる。
【００３２】
図５は、デジタルカメラ２の構成を示すブロック図である。ＣＰＵ３９は、シャッタボタン１１及び操作部２２から入力される操作信号に応じ、バス４０を介してデジタルカメラ２の各部を制御する。フラッシュＲＯＭ４１には、ＣＰＵ３９によって実行される制御プログラムが格納されている。ＳＤＲＡＭ４２は、ＣＰＵ３９が制御プログラムを実行し、画像データに画像処理を施す際の作業メモリである。
【００３３】
撮影レンズ５は、ドライバ回路４５に駆動されるモータ４６によって光軸方向に沿って移動され、フォーカスとズームとが変更される。撮影レンズ５の背後には、ＣＣＤタイプのイメージセンサ４９が配置されている。イメージセンサ４９は、撮影レンズ５を通過してその受光面に結像された被写体光を撮像し、アナログの撮像信号を出力する。イメージセンサ４９には、シャッタボタン１１の操作に応じてシャッタレリーズ動作を行なう電子シャッタ機能が備えられている。この電子シャッタ機能は、タイミングジェネレータ５０から入力されるタイミング信号（クロックパルス）に基づいて制御される。
【００３４】
イメージセンサ４９から出力されたアナログの撮像信号は、ＣＤＳ／ＡＭＰ回路５３に入力される。ＣＤＳ／ＡＭＰ回路５３は、相関二重サンプリング回路（ＣＤＳ）と、増幅器（ＡＭＰ）とからなる。ＣＤＳは、イメージセンサ４９からのアナログ信号からＲ，Ｇ，Ｂの画像データを生成し、ＡＭＰは、ＣＤＳによって生成されたＲ，Ｇ，Ｂの画像データを増幅する。この後にＡ／Ｄ変換器（Ａ／Ｄ）５４によってアナログのＲ，Ｇ，Ｂの画像データがデジタルのＲ，Ｇ，Ｂの画像データに変換される。
【００３５】
画像信号処理回路５７は、デジタルのＲ，Ｇ，Ｂの画像データに対して、階調変換、ホワイトバランス補正、γ補正処理などの各種画像処理と、ＹＣ変換処理とを施す。撮影モード下で撮影処理が実行される前には、画像信号処理回路５７に入力された画像データは、簡易な画像処理とＹＣ変換処理とが施され、スルー表示用の画像データとしてＳＤＲＡＭ４２に一時的に書き込まれる。画像再生処理回路５９は、ＳＤＲＡＭ４２に書き込まれたスルー表示用の画像データをコンポジット信号に変換し、ＬＣＤ制御回路６０はＬＣＤパネル１８を制御して、スルー表示用の画像データを表示する。一方、撮影処理が実行されたときには、画像信号処理回路５７に入力された画像データは、本格的な画像処理とＹＣ変換処理とが施され、ＳＤＲＡＭ４２に記録される。
【００３６】
圧縮伸張処理回路６３は、撮影モード下でＳＤＲＡＭ４２に記録された画像データを所定の圧縮形式（例えばＪＰＥＧ形式）で圧縮して画像ファイルを生成する。この圧縮された画像ファイルがメディア制御回路６４によってメモリカード１４に記録される。また、圧縮伸長処理回路６３は、再生モード下でメディア制御回路６４によってメモリカード１４から読み出された画像ファイルを伸張処理する。伸長処理された画像ファイルは、画像再生処理回路５９及びＬＣＤ制御回路６０によってＬＣＤパネル１８に再生画像として表示させる。
【００３７】
音声処理回路６７は、動画撮影モードにあるときに、音声入力部８に組み込まれたマイク６８によって入力された音声信号をデジタルの音声データに変換する。また、再生モードで動画データを再生する際には、音声データをアナログの音声信号に変換し、音声出力部１９に組み込まれたスピーカー６９によって再生する。
【００３８】
ＵＳＢ回路７２は、周知のＵｎｉｖｅｒｓａｌ  Ｓｅｒｉａｌ  Ｂｕｓを構成する回路であり、パーソナルコンピュータやプリンタ等の外部機器との接続に使用される。ストロボ回路７３は、前述のストロボ発光部にストロボ発光を行なわせる回路であり、ＣＰＵ３９によって制御される。
【００３９】
ＲＴＣ（Ｒｅａｌ  Ｔｉｍｅ  Ｃｌｏｃｋ）７６は、計時専用のＩＣチップであり、デジタルカメラ２内に組み込まれたバックアップ用の内蔵電池から電源供給を受けて動作している。ＣＰＵ３９は、電源オン時にＲＴＣ７６から基準時間を取得し、その後は制御プログラムによって独自に計時を行い、撮影日時等として用いている。なお、前述の「日時設定」で設定されるのは、ＲＴＣ７６の日時である。
【００４０】
デジタルカメラ２は、時差のある外国へ旅行等に出かけた際に、現在時刻を簡単にその国の時間に合せることのできる世界時計機能を備えている。この世界時計は、フラッシュＲＯＭ４１に格納された世界時計用のプログラムと、このプログラムに基づいて動作するＣＰＵ３９とによって機能する。図６に示すように、ＣＰＵ３９は、世界時計用のプログラムによって、世界時計部７９と、この世界時計部７９を構成する時差設定部８０、適用時刻設定部８１、現在時刻適用部８２、適用時刻比較部８３を備える。
【００４１】
デジタルカメラ２の世界時計機能は、図７に示すフローチャートに沿って設定される。まず、デジタルカメラ２の電源がオンされている状態で操作部２２のメニュー／ＯＫボタン２６を操作してセットアップモードに移行する。ＬＣＤパネル１８には、前述の「日時設定」等とともに「世界時計」という設定メニューが表示されるので、十字カーソルボタン２８でカーソルを移動させ、メニュー／ＯＫボタン２６によって「世界時計」メニューを選択する。
【００４２】
図８（Ａ）に示すように、ＬＣＤパネル１８に表示される「世界時計」メニューの設定画面は、標題部８６と、サブメニュー選択部８７と、時間表示部８８と、前述の機能表示部８９とを備えている。サブメニュー選択部８７には、「時間」９１と「時差設定」９２というサブメニューが表示され、十字カーソルボタン２８によって択一的に選択される。なお、十字カーソルボタン２８によって選択されたサブメニューは、高コントラストに表示される。サブメニューの「時間」９１を選択すると、現在時刻適用部８２が動作してデジタルカメラ２の現在時刻として基準時間を使用するのか、あるいは基準時間に対して時差が適用された時差時間を使用するのかが、「ホーム」９３と、同図（Ｂ）に示す「現地」９４という項目名を用いて選択される。
【００４３】
サブメニューの「時間」９１において、その右方に表示される項目を「ホーム」９３とすると、時間表示部８８には前述の「日時設定」で設定された基準時間が表示される。そして、この状態でメニュー／ＯＫボタン２６を操作すると、基準時間がデジタルカメラ２の現在時刻として適用される。また、図８（Ｂ）に示すように、「ホーム」９３に代えて「現地」９４を選択すると、時間表示部８８には基準時間に対して時差が設定された時差時間が表示される。例えば、基準時間が「２００４年１２月１０日午後５時３０分」であり、時差として「−１７時間」が設定されている場合には、時差時間は「２００４年１２月１０日午前１２時３０分」となる。そして、この状態でメニュー／ＯＫボタン２６を操作すると、時間表示部８８に表示されている時差時間が現在時刻として適用される。
【００４４】
図９（Ａ）に示すように、「世界時計」メニューで設定された現在時刻は、撮影モード時のＬＣＤパネル１８の下部に、現在時刻９７として表示される。なお、現在時刻として時差時間が適用されている場合には、時差時間であることが容易に識別できるように現在時刻９７の表示色が変更され、かつ同図（Ｂ）に示すように、海外旅行をイメージさせる飛行機のシルエットをしたマーク９８が付加される。静止画撮影モード時のＬＣＤパネル１８には、撮影動作モードを示すマーク９９や、撮影枚数１００等も表示される。
【００４５】
図８（Ｃ）に示すように、「世界時計」メニューのサブメニュー選択部８７において「時差設定」９２を選択すると、時差設定部８０が動作し、図１０（Ａ）に示すように、ＬＣＤパネル１８には時差設定画面が表示される。この時差設定画面には、標題部１０３と、時差入力部１０４と、時差時間表示部１０５と、機能表示部１０６とが設けられている。時差入力部１０４には、十字カーソルボタン２８によって選択された時差が「＋」，「−」及び時分によって表示される。時差時間表示部１０５には、時差入力部１０４に入力された時差を基準時間に適用させた場合の時差時間が表示される。時差入力部１０４に設定したい時差を表示した状態でメニュー／ＯＫボタン２６を操作すると時差が設定され、ＢＡＣＫボタン２７が操作されると設定内容がキャンセルされて図８（Ｂ）の設定画面に戻る。なお、本実施形態の世界時計機能では、複数の時差を設定することができる。そのため、その設定順序に合せて標題部１０３には「第１時差」のように設定番号が表示される。
【００４６】
「時差設定」が完了すると、適用時刻設定部８１が動作を開始して、サブメニュー「適用時刻設定」が開始される。この「適用時刻設定」では、先に設定した時差を現在時刻として適用するタイミングが基準時間を用いて設定される。図１０（Ｂ）に示すように、「適用時刻設定」の設定画面は、標題部１０８と、日付表示順序入力部１０９と、日付入力部１１０と、時分入力部１１１と、機能表示部１１２とを備えている。ユーザーは、十字カーソルボタン２８の左右のボタンで設定すべき項目間を移動し、上下のボタンで設定内容を変更する。設定後にメニュー／ＯＫボタン２６が操作されると、その設定内容が確定され、ＢＡＣＫボタン２７が操作されると設定内容がキャンセルされ、サブメニュー「時差設定」に戻る。この「適用時刻設定」においても、標題部１０８には「第１適用時刻」のように設定番号が表示される。
【００４７】
「適用時刻設定」が完了すると、図１０（Ｃ）に示すように、ＬＣＤパネル１８には時差の設定を終了するか否かを確認する確認画面が表示される。この確認画面は、標題部１１４と、確認コメント１１５と、機能表示部１１６とからなり、メニュー／ＯＫボタン２６を操作すると、時差及び適用時刻の設定が終了される。また、ＢＡＣＫボタン２７が操作された場合には、時差及び適用時刻の入力が継続され、次の第２時差及び第２適用時刻の設定が開始される。
【００４８】
図６に示すように、ホームまたは現地が選択される現在時刻設定と、時差及び適用時刻の設定は、ＣＰＵ３９の時差設定部８０及び適用時刻設定部８１によって、バックアップメモリ１１８に記憶される。記憶手段であるバックアップメモリ１１８には、ＲＡＭや書換可能なＲＯＭ等が用いられている。現在時刻設定１２６は、ＣＰＵ３９の現在時刻適用部８２によって読み出され、ホームと現地とのいずれが選択されているのかが確認される。また、バックアップメモリ１１８に記憶された第１〜第３時差１２０〜１２２、第１〜第３適用時刻１２３〜１２５は現在時刻適用部８２によって読み出され、ＲＴＣ７６の基準時間と第１〜第３時差１２０〜１２２とから第１〜第３時差時間を算出し、現在時刻に適用するタイミングを得るために用いられる。
【００４９】
例えば、図１１に示す旅行日程表１１９に沿って旅行を行なう場合の世界時計の作用について説明する。本発明の世界時計は、その適用時刻を予め設定しておくことができるため、旅行準備の一つとして旅行に出かける前に設定を行なうことができる。これにより、旅行先で設定を行なうことにより設定するのを忘れてしまったり、設定を間違えてしまい誤った現在時刻で撮影が行なわれるのを防止することができる。
【００５０】
デジタルカメラ２の電源がオンされている状態でメニュー／ＯＫボタン２６を操作し、セットアップモードに移行する。次いで、十字カーソルボタン２８で「世界時計」を選択し、図８（Ｃ）に示すサブメニュー「時差設定」９２を選択すると、図１０（Ａ）に示すように、ＬＣＤパネル１８には、時差設定画面が表示される。標題部１０３には、設定番号として「第１時差」と表示される。十字カーソルボタン２８を操作して時差入力部１０４に表示される時差を変更する。例えば、最初の到着予定地サンフランシスコの時差「−１７時間」を時差入力部１０４に入力し、メニュー／ＯＫボタン２６を操作すると、図６に示すように、この時差は、第１時差１２０としてバックアップメモリ１１８に記憶される。
【００５１】
第１時差１２０の設定が完了すると、図１０（Ｂ）に示すように、第１時差１２０の適用時刻を設定するサブメニュー「適用時刻設定」が開始される。この設定では、第１時差１２０に基づく時差時間が適用されるタイミングを基準時間を用いて設定する。例えば、図１１の旅行日程表１１９によれば、サンフランシスコへの到着は、日本時間の「２００４年１２月１０日午後５時３０分」であるため、この日時を設定すればよい。
【００５２】
適用時刻の設定が終了すると、図１０（Ｃ）に示すように、ＬＣＤパネル１８には確認画面が表示される。図１１に示す旅行日程表１１９によれば、サンフランシスコの次の予定が記載されているため、ＢＡＣＫボタン２７を操作して時差設定を続け、次の予定も設定しておくとよい。旅行日程表１１９によれば、サンフランシスコの次の予定はニューヨークとなっているが、時差及び適用時刻の設定は予定順に行なう必要はなく、サンフランシスコの設定の後に、ロンドン、ニューヨークの順に設定を行なってもよい。このように設定された時差及び適用時刻は、図６に示すバックアップメモリ１１８に、第２時差１２１，第３時差１２２，第２適用時刻１２４，第３適用時刻１２５として記憶される。
【００５３】
旅行日程表１１９と異なる順序、例えばサンフランシスコ、ロンドン、ニューヨークの順に時差及び適用時刻の設定を行い、確認画面で設定終了を選択すると、ＬＣＤパネル１８には図８（Ｃ）の設定画面が表示される。この画面上で図８（Ｂ）に示すように、サブメニューの「時間」９１で「現地」９４を選択すれば、世界時計の設定が完了する。このサブメニューの「現地」９４の設定は、バックアップメモリ１１８に現在時刻設定１２６として記憶される。
【００５４】
図１２のフローチャートに示すように、現在時刻適用部８２は、デジタルカメラ２の電源がオンされたときにバックアップメモリ１１８にアクセスし、現在時刻設定１２６の設定内容を確認し、現地が選択されている場合には、適用時刻比較部８３によって各適用時刻１２３〜１２５を比較して、最近の適用時刻を選択する。例えば、基準時間に最も近い適用時刻が第１時差１２０の第１適用時刻１２３であった場合、現在時刻適用部８２は基準時間と第１適用時刻１２３とを比較し、基準時間が第１適用時刻１２３の「２００４年１２月１０日午後５時３０分」に達したときに、この基準時間に第１時差１２０の「−１７時間」を加算して、第１時差時間である「２００４年１２月１０日午前１２時３０分」を現在時刻として適用する。これにより、旅行先の国に到着して最初にデジタルカメラ２の電源をオンさせた時に自動的に現在時刻がその国に合せて設定されるので、時間設定の面倒がなく、設定忘れや設定ミスも発生しにくい。
【００５５】
デジタルカメラ２を持ったユーザーが、次の予定地であるニューヨークに到着してデジタルカメラ２の電源をオンすると、現在時刻適用部８２は同様にバックアップメモリ１１８を参照して現在時刻設定１２６を確認し、現地が設定されている場合には適用時刻比較部８３によって最近の適用時刻を選択する。次の予定地ニューヨークは、第３時差１２２及び第３適用時刻１２５で設定されているため、基準時間が第３適用時刻１２５の２００４年１２月１３日午後５時」に達したときに、第３時差１２２の「−１７時間」を基準時間に加算した第３時差時間「２００４年１２月１３日午前３時」が現在時刻として適用される。同様に、ユーザーがニューヨークからロンドンに到着した場合には、ロンドンへの到着時間を設定した第２適用時刻１２４に基準時間が達した時に、第２時差１２１を基準時間に加算した第２時差時間「２００４年１２月２２日午前１０時」が現在時刻として適用される。
【００５６】
以下、本発明の世界時計の別の実施形態について説明するが、上記第１の実施形態に記載した構成部品と同じものについては、詳しい説明は省略する。
上記実施形態では、時差の適用時に複数の適用時刻を比較して、最も近い適用時刻を選択するようにした。しかし、時差時間の適用時に適用時刻の比較が行なわれるため、時差時間の適用が遅くなることがあった。そこで、これを解決するために、時差及び適用時刻の設定時に、適用時刻が先に訪れる順に時差及び適用時刻を入力させるようにしてもよい。これを実施するには、図１３のフローチャートに示す適用時刻の入力後に、図６に示す適用時刻比較部８３を用いて、入力された適用時刻と、その前に設定された適用時刻とを比較する。後から入力された適用時刻のほうが、先に設定された適用時刻よりも早い時刻である場合には、図１４に示すように、ＬＣＤパネル１８の適用時刻設定画面上に、「入力順序エラー」等のエラーメッセージ１３０を所定時間表示して、新たな適用時刻設定画面に切り換える。
【００５７】
上記のように設定された時差及び適用時刻は、適用時刻が早く訪れる順に設定されている。そのため、時差時間を現在時刻として適用する際には、図１５のフローチャートに示すように、設定番号順に適用すればよい。これにより、時差時間の適用時に適用時刻の比較が不要となるため、時差時間をより迅速に適用させることができる。
【００５８】
また、上記実施形態のデジタルカメラ２では、旅行から帰国した後で現在時刻を時差時間から基準時間に変更する操作を行なわなくてはならない。そのため、この現在時刻の復帰操作を忘れてしまうと、誤った現在時刻で撮影を行なうことになる。これを防止するために、現在時刻を時差時間から基準時間に復帰させる復帰時刻を設定できるようにし、基準時間が復帰時刻に達したときに自動的に基準時間を現在時刻として適用するとよい。
【００５９】
上記実施形態を実現するために、本発明の更に別の実施形態のデジタルカメラでは、図１６に示すように、ＣＰＵ１３３内の世界時計部１３４に基準時間を用いて復帰時刻の設定を行なう復帰時刻設定部１３５と、ＲＴＣ１３６の基準時間が復帰時刻に達したときに基準時間を現在時刻として適用する復帰時刻適用部１３７とを設け、設定された復帰時刻１３８を記憶する復帰時刻記憶手段としてフラッシュメモリ１３９を用いるとよい。
【００６０】
本実施形態のデジタルカメラでは、図１７のフローチャートに示すように、時差及び適用時刻の設定を終了した後に復帰時刻の設定が行なわれる。この復帰時刻の設定は、前述の適用時刻の設定と同様に、ＬＣＤパネルの表示を確認しながら日付や時間を入力して行なう。また、図１８のフローチャートに示すように、設定された全ての時差時間が適用され、基準時間が復帰時刻に達したときに現在時刻として基準時間が適用される。これにより、旅行から戻った後で現在時刻の再設定を忘れても、間違った撮影時刻が記録されることはない。
【００６１】
また、上記実施形態では、予め設定したタイミングに基づいて、現在時刻を基準時間に戻せるようにしたが、旅行先の国に長期滞在することも考えられる。長期滞在では、その長期滞在国から別の国に出かける場合もあり、デジタルカメラの基準時間自体をその国の時間に合せたほうが使い勝手が向上する。そのため、復帰時刻が設定されなかった場合には、最後に訪れた国の時差時間を基準時間として適用するとよい。
【００６２】
上記実施形態のデジタルカメラでは、図１９に示すように、ＣＰＵ１４２の世界時計部１４３に、復帰時刻設定部１４４，復帰時刻適用部１４５とともに、基準時間変更部１４６が設けられている。この基準時間変更部１４６は、図２０のフローチャートに示すように、時差及び適用時刻の設定後に復帰時刻が設定されなかった場合には、バックアップメモリ１４７に変更フラグ１４８を記憶する。
【００６３】
図２１のフローチャートに示すように、全ての設定された時差時間が適用された後で変更フラグ１４８の有無を確認し、変更フラグ１４８が記憶されていない場合には、ＲＴＣ１４９の基準時間が復帰時刻１５０に達したときに現在時刻を基準時間に変更する。また、バックアップメモリ１４７に変更フラグ１４８が記憶されている場合には、基準時間として最後に設定された時差時間、例えば第３時差時間を適用し、この基準時間を現在時刻として適用される。これによれば、長期滞在する国の時間を基準時間として自動的に適用することができるため、長期滞在国でのデジタルカメラの使い勝手が向上する。
【００６４】
また、上記実施形態では、時差及び適用時刻や、復帰時刻等を設定できるようにしたが、設定内容等を確認する際に、その設定の情報等を参照できると便利である。そのため、各時差等に関する情報も一緒に記録できるようにするとよい。これを実現するには、図２２に示すように、ＣＰＵ１５５の世界時計部１５６に、情報の入力を行なう情報入力部１５７を設け、入力された情報を記憶する情報記憶手段としてバックアップメモリ１５８を、情報を再生表示する手段としてＬＣＤパネルを用いるとよい。
【００６５】
図２３のフローチャートに示すように、適用時刻の設定後に、その時差及び適用時刻に関する情報（用件）を入力できるようにする。図２４に示すように、ＬＣＤパネル１６０には、用件設定画面が表示される。この用件設定画面は、標題部１６１と、旅行先の国名や都市名等の情報が文字で入力される文字入力部１６２と、機能表示部１６３とを備えている。文字入力部１６２に入力された情報は、時差番号及び適用時刻番号に合せて第１情報１６５〜第３情報１６７という情報番号を付され、バックアップメモリ１５８に記憶される。
【００６６】
入力された情報は、図２５のフローチャートに示すように、各時差時間の適用時にＬＣＤパネル１６０に表示される。例えば、デジタルカメラが撮影モードにあるときには、図２６に示すように、ＬＣＤパネル１６０の下部の現在時刻１６８に近接して情報１６９が表示される。これにより、時差設定の内容や旅行の予定などをデジタルカメラで確認することができる。
【００６７】
また、上記実施形態では、情報として文字データを入力したが、音声データや画像データを用いてもよい。この場合には、図２７に示すように、ＣＰＵ１７０の世界時計部１７１に、音声データの入力を制御する音声データ入力部１７２と、画像データの選択を制御する画像データ選択部１７３とを設け、バックアップメモリ１７４に、時差番号及び適用時刻番号に合せて第１音声データ１７５，第２音声データ１７６，第３画像データ１７７等のように音声データや画像データを記憶するとよい。
【００６８】
前述の実施形態の図２３のフローチャートに示すように、音声データや画像データ等の情報の入力は、適用時刻の入力後に行なわれる。図２８のフローチャートに示すように、本実施形態では、情報入力時に情報の入力方法の選択が行なわれる。図２９（Ａ）に示すように、ＬＣＤパネル１８０には、用件設定画面が表示される。この用件設定画面は、標題部１８１と、「ボイスメモ」，「サムネイル画像」と表示されたサブメニュー１８２，１８３と、機能表示部１８４とからなる。
【００６９】
十字カーソルボタンを操作して画面上のカーソル１８５を操作し、「ボイスメモ」１８２を選択すると、図２９（Ｂ）に示すように、ＬＣＤパネル１８０には状態表示部１８６と録音時間表示部１８７が表示され、ボイスメモのスタンバイ状態となる。この状態でメニュー／ＯＫボタンを操作すると、図５に示すマイク６８によって録音が開始される同図（Ｃ）に示すように、録音中には状態表示部１８６に録音中と表示され、録音時間表示部１８７は残り録音時間をカウントダウン表示する。録音中にメニュー／ＯＫボタンを操作すると録音が終了し、音声データがバックアップメモリ１７４に記録される。また、予め設定されている録音時間、例えば３０秒が経過すると、同図（Ｄ）に示すように状態表示部１８６に「録音終了」と表示され、メニュー／ＯＫボタンを操作すると音声データがバックアップメモリ１７４に記録される。また、録音しなおしたい場合には、ＢＡＣＫボタンを操作することによって、再録音を行なうことができる。
【００７０】
また、図２９の選択画面で「サムネイル画像」１８３を選択すると、ＬＣＤパネル１８０には、ＲＯＭ等に予め記録されている様々なイベントを表す画像や、ユーザー自らが撮影した画像等がサムネイル表示される。このサムネイル画像の一覧の中から目的の画像を選択し、メニュー／ＯＫボタンを操作すると、その選択された画像の画像データが時差及び適用時刻に関連づけられてバックアップメモリ１７４に記憶される。バックアップメモリ１７４に記録された音声データや画像データは、図２５のフローチャートに示すように、各時差の適用後にスピーカーやＬＣＤパネルによって再生される。
【００７１】
このように、音声データや画像データ等の様々なデータを時差時間適用時の情報として記憶することができるので、多彩な表現で時差時間の適用を識別することができる。なお、情報としては、文字情報、音声データ、画像データの他に動画データ等を用いてもよい。更に、情報のデータファイルは、バックアップメモリに記録せずに専用のメモリに記録してもよい。この場合には、バックアップメモリには時差及び適用時刻と、情報のデータファイルとを関連付けるポインタデータを記録するとよい。
【００７２】
また、上記各実施形態では、時差及び適用時刻、復帰時刻、情報等をデジタルカメラの各ボタンを操作して入力したが、デジタルカメラに接続可能な外部機器から入力してもよい。例えば、図３０に示すように、デジタルカメラに無線タグリーダ１９０を組み込み、ＣＰＵ１９１の世界時計部１９２に、無線タグリーダ１９０を使用して取り込んだデータを各種設定値として設定する外部データ設定部１９３を設ける。また、図３１に示すように、旅行の日程表１９５に日程データが記憶された無線タグ１９６を埋め込んでおく。        
【００７３】
図３２のフローチャートに示すように、デジタルカメラを日時取込モードに設定すると、図３３（Ａ）に示すように、ＬＣＤパネル２００には日時取込画面が表示される。デジタルカメラを旅行日程表１９５の上に乗せ、メニュー／ＯＫボタンを操作すると、同図（Ｂ）に示すように、日時取込画面の状態表示部２０１の表示がスタンバイから取り込み中に切り替わり、無線タグリーダ１９０は無線タグ１９６から旅行の日程等に関するデータを読み取る。読み取られたデータは、時差及び適用時刻としてバックアップメモリ２０４に記憶される。データの取り込みが完了すると、状態表示部２０１には「他のデータ取込みも行ないますか？」というメッセージが表示されるので、更にデータ取り込みを行なう場合にはメニュー／ＯＫボタンを、データ取り込みを終了する場合にはＢＡＣＫボタンを操作する。このように、外部からデータを入力できるようにすれば、デジタルカメラでの各種設定も容易になる。なお、外部機器からのデータ取り込みには、ＵＳＢ等の有線インターフェースを用いてもよい。
【００７４】
なお、上記実施形態では、デジタルカメラに組み込まれた世界時計について説明したが、本発明は、その他の電子機器に組み込まれる世界時計や、単体で機能する世界時計にも適用することができる。
【図面の簡単な説明】
【００７５】
【図１】本発明の世界時計を組み込んだデジタルカメラの外観形状を示す斜視図である。
【図２】デジタルカメラの背面図である。
【図３】基準時間の設定手順を示すフローチャートである。
【図４】基準時間の設定画面の一例を示す説明図である。
【図５】デジタルカメラの構成を示すブロック図である。
【図６】世界時計部及びバックアップメモリの構成を示す機能ブロック図である。
【図７】世界時計の設定手順を示すフローチャートである。
【図８】世界時計の設定画面の一例を示す説明図である。
【図９】撮影モード時の現在時刻設定状態を示す説明図である。
【図１０】時差及び適用時刻の設定画面の一例を示す説明図である。
【図１１】旅行日程表の一例を示す説明図である。
【図１２】時差時間の適用手順を示すフローチャートである。
【図１３】時差及び適用時刻の入力順序を規定した世界時計の設定手順を示すフローチャートである。
【図１４】適用時刻設定時のエラーメッセージの表示状態を示す説明図である。
【図１５】適用時刻順に入力された時差の時差時間の適用手順を示すフローチャートである。
【図１６】現在時刻を時差時間から基準時間に戻す機能を備えた世界時計部の構成を示す機能ブロック図である。
【図１７】世界時計の復帰時刻の設定手順を示すフローチャートである。
【図１８】復帰時刻の適用手順を示すフローチャートである。
【図１９】時差時間を基準時間として適用する機能を備えた世界時計の構成を示す機能ブロック図である。
【図２０】時差時間を基準時間として適用する際の手順を示すフローチャートである。
【図２１】時差時間が基準時間として適用される手順を示すフローチャートである。
【図２２】情報入力機能を備えた世界時計の構成を示す機能ブロック図である。
【図２３】世界時計の情報入力手順を示すフローチャートである。
【図２４】情報入力画面の一例を示す説明図である。
【図２５】世界時計の情報表示手順を示す説明図である。
【図２６】ＬＣＤパネルの情報表示状態を示す説明図である。
【図２７】情報として音声データ及び画像データを入力する機能を備えた世界時計の構成を示す機能ブロック図である。
【図２８】入力情報の選択及び設定手順を示すフローチャートである。
【図２９】音声データの入力画面の一例を示す説明図である。
【図３０】外部機器からデータを取り込む機能を備えた世界時計の構成を示す機能ブロック図である。
【図３１】無線タグを備えた旅行日程表の説明図である。
【図３２】データ取込手順を示すフローチャートである。
【図３３】データ取込画面の一例を示す説明図である。
【符号の説明】
【００７６】
２  デジタルカメラ
１４  メモリカード
１８  ＬＣＤパネル
２２  操作部
３９  ＣＰＵ
６８  マイク
６９  スピーカ
７６  ＲＴＣ
７９  世界時計部
８０  時差設定部
８１  適用時刻設定部
８２  現在時刻適用部
８３  適用時刻比較部
１１８  バックアップメモリ
１１９  旅行日程表
１２０〜１２２  時差
１２３〜１２５  適用時刻
１２６  現在時刻設定
１３５  復帰時刻設定部
１３７  復帰時刻適用部
１４６  基準時間変更部
１５７  情報入力部
１７２  音声データ入力部
１７３  画像データ選択部
１９０  無線タグリーダ
１９３  外部データ設定部
１９５  旅行日程表
１９６  無線タグ
【図１】
2006170855.tif 000003
【図２】
2006170855.tif 000004
【図３】
2006170855.tif 000005
【図４】
2006170855.tif 000006
【図５】
2006170855.tif 000007
【図６】
2006170855.tif 000008
【図７】
2006170855.tif 000009
【図８】
2006170855.tif 000010
【図９】
2006170855.tif 000011
【図１０】
2006170855.tif 000012
【図１１】
2006170855.tif 000013
【図１２】
2006170855.tif 000014
【図１３】
2006170855.tif 000015
【図１４】
2006170855.tif 000016
【図１５】
2006170855.tif 000017
【図１６】
2006170855.tif 000018
【図１７】
2006170855.tif 000019
【図１８】
2006170855.tif 000020
【図１９】
2006170855.tif 000021
【図２０】
2006170855.tif 000022
【図２１】
2006170855.tif 000023
【図２２】
2006170855.tif 000024
【図２３】
2006170855.tif 000025
【図２４】
2006170855.tif 000026
【図２５】
2006170855.tif 000027
【図２６】
2006170855.tif 000028
【図２７】
2006170855.tif 000029
【図２８】
2006170855.tif 000030
【図２９】
2006170855.tif 000031
【図３０】
2006170855.tif 000032
【図３１】
2006170855.tif 000033
【図３２】
2006170855.tif 000034
【図３３】
2006170855.tif 000035